(57)【要約】      （修正有）【課題】素人にも茎の径が異なる複数種類の花を簡単かつ綺麗に生けることができる剣山を提供する。【解決手段】剣山１は、植物が立設される面を花生面１ａから、水に浸けられる水浸面に向かって複数の差込孔１０ａ〜１０ｄが形成される。差込孔１０ａ〜１０ｃについてみると、差込孔１０ａが最も太く、差込孔１０ｃが最も細く形成されている。太さが異なる差込孔を備えているので、茎の径に合わせて差し込むだけで、複数種類の花を簡単に生けることができる。また、各差込孔に見合った太さを有する植物を差し込めば、一定の場所に一定の植物を配置することが可能となるので、複数種類の花を綺麗に生けることができる。【選択図】図１
0003186241.tif 000002
【実用新案登録請求の範囲】
【請求項１】
植物を生ける剣山であって、
植物が差し込まれる側である花生面から水に浸けられる側である水浸面に向かって複数の差込孔が設けられ、少なくとも一の前記差込孔の深さ方向に垂直な断面積が、他の前記差込孔の前記断面積とは異なることを特徴とする剣山。
【請求項２】
請求項１に記載の剣山であって、
前記差込孔は、前記花生面で開口する表側開口が角部を有する形状に少なくとも形成されていることを特徴とする剣山。
【請求項３】
請求項２に記載の剣山であって、
前記差込孔は、該差込孔の深さ方向に垂直な断面形状が多角形状に形成されていることを特徴とする剣山。
【請求項４】
請求項１に記載の剣山であって、
前記差込孔を形成する外径が同じで内径が異なる複数の円筒を複数並べて形成されたことを特徴とする剣山。
【請求項５】
請求項１〜４のいずれか１項に記載の剣山であって、
前記差込孔は、該表側開口の開口面に沿って前記差込孔の内壁面から突出した引掛部が前記表側開口に形成されていることを特徴とする剣山。
【考案の詳細な説明】
【技術分野】
【０００１】
本考案は、剣山に関する。
【背景技術】
【０００２】
従来の剣山は、円板状の台座の上面に複数の針が林立したものが一般的である。
【考案の概要】
【考案が解決しようとする課題】
【０００３】
しかし、従来の剣山は、茎の細い花の場合、茎を針に刺すことができないので、針に刺すことができる花の茎に結びつけるなどして生けていた。このような生け方は一定以上の技術が必要で素人には難しいものであった。
【０００４】
また、従来の剣山は、玄人には、花を生ける場所を選ばない自由さがあるのでたいへん便利なものであるが、素人には、どこにどのように花を生ければ綺麗に生けることができるのか分からないので、不便なものであった。
【０００５】
そこで本考案は、素人にも茎の径が異なる複数種類の花を簡単かつ綺麗に生けることができる剣山を提供することを目的とする。
【課題を解決するための手段】
【０００６】
請求項１に記載された本考案の剣山は、植物を生ける剣山であって、植物が差し込まれる側である花生面から水に浸けられる側である水浸面に向かって複数の差込孔が設けられ、少なくとも一の前記差込孔の深さ方向に垂直な断面積が、他の前記差込孔の前記断面積とは異なることを特徴とする。
【０００７】
この剣山は、太さが異なる差込孔を備えているので、茎の径の細い植物は細い差込孔に差し込み、茎の径の太い植物は太い差込孔に差し込むだけで、茎の径が異なる複数種類の花を簡単に生けることができる。
【０００８】
また、この剣山は、各差込孔の太さに見合った茎の太さを有する植物を各差込孔に差し込めば、一定の場所に一定の植物を配置することが可能となるので、複数種類の花を綺麗に生けることができる。
【０００９】
従って、本考案の剣山を用いれば、素人にも茎の径が異なる複数種類の花を簡単かつ綺麗に生けることができる。
次に、請求項２に記載した剣山のように、差込孔は、花生面で開口する表側開口が角部を有する形状に少なくとも形成されているとよい。
【００１０】
このようにすると、差込孔に差し込まれた植物の茎が表側開口に形成された角部で止まるので、植物が差込孔内で回転することを防止することができる。
尚、請求項３に記載したように、請求項２に記載された表側開口が角部を有する差込孔の具体例としては、この差込孔の深さ方向に垂直な断面形状が多角形状であってもよいが、これに限られるものではない。
【００１１】
次に、差込孔は断面円形状に形成されたものでもよいが、その場合、請求項４に記載したように、差込孔を形成する外径が同じで内径が異なる複数の円筒を複数並べた形状としてもよい。
【００１２】
このようにすると、並べられた円筒の間に隙間が形成されるが、この隙間も差込孔として用いてもよい。
次に、請求項５に記載した剣山のように、差込孔は、表側開口の開口面に沿って差込孔の内壁面から突出した引掛部が表側開口に形成されているとよい。
【００１３】
このようにすると、引掛部が設けられた差込孔には、その差込孔の太さに見合った植物と、引掛部に引っ掛けることができる太さの茎を有する植物を、その差込孔にもたれかけて生けることができる。
【００１４】
従って、本考案の剣山を用いれば、引掛部が設けられた差込孔に対し、差込孔の太さに見合った植物を差込孔に差し込んだ生け花と、引掛部に引っ掛けて差込孔に植物を差し込んだ生け花と、これら２種類の生け花を簡単かつ綺麗に生けることができる。
【図面の簡単な説明】
【００１５】
【図１】本実施形態の剣山の模式図である。
【図２】本実施形態の剣山の変形例を示す平面図である。
【図３】本実施形態の剣山の変形例を示す平面図である。
【図４】本実施形態の剣山を使用する様子を示した斜視図である。
【考案を実施するための形態】
【００１６】
以下に本考案の実施形態を図面と共に説明する。
本実施形態の剣山１は、図１に示すように、同じ長さの１６本の筒体１０を、縦方向及び横方向に各４列ずつ隣接して並べ、隣接する筒体を接合した形状に形成されている。
【００１７】
このため、この剣山１のうち、各筒体１０の軸方向の両端に位置する部分には、複数の開口が設けられた２つの面が形成される。
本実施形態の剣山１では、これら開口が設けられた２つの面のうち、一方の面には植物が差し込まれ、他方の面は水に浸けられるので、以下では、植物が差し込まれる側の面を花生面１ａ、水に浸けられる面を水浸面（図示していない）と呼ぶ。また、花生面側で開口する後述する差込孔の開口を表側開口と呼ぶ。
【００１８】
本実施形態の剣山１は、このように形成されているため、植物が立設される花生面１ａから水に浸けられる水浸面に向かって複数の差込孔１０ａ〜１０ｄが形成される。
これらの差込孔１０ａ〜１０ｄは、その深さ方向（軸方向）に垂直な断面積（以下「太さ」という）の違いにより４つの差込孔に分類される。
【００１９】
このうち差込孔１０ａ〜１０ｃは、筒体１０の肉厚を変えることにより様々な太さに形成された孔部であり、差込孔１０ａが最も太く、差込孔１０ｃが最も細く形成されている。
【００２０】
また、差込孔１０ｄは、筒体１０を互いに接合するときに、これら筒体１０の間にできる隙間部分に形成される孔部であり、その孔部の軸方向に沿った断面形状が、四角形の各辺を内側に円弧状に凹ませた形状となるように形成されている。
【００２１】
この差込孔１０ｄの各角部は、各角部に向かうほど細くなる形状に形成されている。
このように形成された剣山１は、次のような特徴的な作用効果を奏する。
この剣山１は、太さが異なる差込孔１０ａ〜１０ｄを備えているので、茎の径の細い植物は細い差込孔１０ｃ、１０ｄに差し込み、茎の径の太い植物は太い差込孔１０ａ、１０ｂに差し込むだけで、茎の径が異なる複数種類の花を簡単に生けることができる。
【００２２】
また、この剣山１は、各差込孔１０ａ〜１０ｄの太さに見合った太さを有する植物を各差込孔１０ａ〜１０ｄに差し込めば、一定の場所に一定の植物を配置することが可能となるので、複数種類の花を綺麗に生けることができる。
【００２３】
従って、本実施形態の剣山１を用いれば、素人にも茎の径が異なる複数種類の花を簡単かつ綺麗に生けることができる。
また、本実施形態の剣山１では、差込孔１０ｄが４つの角部を有する形状に形成されており、この差込孔１０ｄに差し込まれた植物は、茎が角部にもたれかかるので、植物が差込孔１０ｄ内で回転することが防止される。
【００２４】
尚、本実施形態では、３種類の太さの差込孔１０ａ〜１０ｃを形成したものについて説明したが、図２に示すように、２種類の太さの差込孔１０ｅ〜１０ｆで形成してもよく、その差込孔の軸方向に沿った断面形状も円形状ではなく六角形状としてもよい。
【００２５】
また、本実施形態では、３種類の太さの差込孔１０ａ〜１０ｃを形成したものについて、筒体１０を縦横に規則正しく並べたものについて説明したが、図３（ａ）に示すように、例えば、平面で見ると花柄のような形状に形成してもよい。
【００２６】
この図３（ａ）に示す剣山１は、中央に、中程度の太さの差込孔１０ｈを設け、この差込孔１０ｈの周囲に、この差込孔よりも太い５つの差込孔１０ｇを設け、これら５つの差込孔１０ｇの外側であって、これら差込孔１０ｇの境界部分を覆う位置に、中央の差込孔１０ｈよりも細い５つの差込孔１０ｊを設けたものである。
【００２７】
また、この図３（ａ）に記載された変形例には、差込孔１０ｇに２本の引掛部１０ｋが設けられている。この引掛部１０ｋは、差込孔１０ｇの内壁面上に立設され、差込孔１０ｇの軸方向に沿って花生面１ａから水浸面まで延設されている。このため、引掛部１０ｋは、花生面１ａで開口する表側開口では、この表側開口の開口面に沿って差込孔１０ｇの内壁面から突出した形態となる。
【００２８】
この引掛部１０ｋを備えるよう構成すると、引掛部１０ｋが設けられた差込孔１０ｇには、その差込孔１０ｇの太さに見合った植物と、引掛部１０ｋに引っ掛けることができる太さの茎を有する植物を、その差込孔１０ｇに差し込んで生けることができる。
【００２９】
そのため、この引掛部１０ｋを備える剣山を用いれば、引掛部１０ｋが設けられた差込孔１０ｇに対し、差込孔１０ｇの太さに見合った植物を差込孔１０ｇに差し込んだ生け花と、引掛部１０ｋに引っ掛けて差込孔１０ｇに植物を差し込んだ生け花と、これら２種類の生け花を簡単かつ綺麗に生けることができる。
【００３０】
尚、図３（ｂ）に示すように、引掛部１０ｋは１つだけ形成されていてもよい。この場合、引掛部１０ｋは、各差込孔１０ｅ，１０ｆの内壁面から各差込孔１０ｅ，１０ｆ内に向かって突出した形状に形成されている。
【００３１】
以上説明した剣山１については、例えば、図４に示すように、コップＺ内に入れて使用してもよい。
尚、上記実施形態では、例えば図２において、差込孔１０ｅ，１０ｆとして、断面六角形状に形成されたものを示したが、その断面形状は四角形状など他の多角形状に形成されていてもよい。また、差込孔１０ｄ〜１０ｆ、１０ｊは、花生面１ａで開口する表側開口が角部を有する形状に少なくとも形成されていればよいので、表側開口の形状はもとより内部形状は角部を有する形状に形成されていなくてもよい。
【００３２】
また、上記実施形態では、引掛部１０ｋとして、各差込孔１０ｅ〜１０ｇの内壁面上に立設され、各差込孔１０ｅ〜１０ｆの軸方向に沿って花生面１ａから水浸面まで延設されたものを示したが、各差込孔１０ｅ〜１０ｇの花生面１ａ側の開口である表側開口の部分で、各差込孔１０ｅ〜１０ｇの開口面に沿って立設された形状に形成されていれば、表側開口以外の部分はどのように形成されていてもよい。
【符号の説明】
【００３３】
１… 剣山
１ａ… 花生面
１０… 筒体
１０ａ〜１０ｊ… 差込孔
１０ｋ… 引掛部
【図１】
0003186241.tif 000003
【図２】
0003186241.tif 000004
【図３】
0003186241.tif 000005
【図４】
0003186241.tif 000006